【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
ファスナー装置（１）であって、
閉方向（Ｘ）に沿って互いに取り付けられることが可能で、閉位置にて互いに保持されて、かつ、当該ファスナー装置（１）を開くように互いに切離し可能である、第１のファスナー部位（２）及び第２のファスナー部位（３）、
を備える、ファスナー装置（１）において、
前記第２のファスナー部位（３）が、第１の係合手段（３４５）を有する作動エレメント（３４）、および当該作動エレメント（３４）に設置された巻回しエレメント（３５）を含み、当該巻回しエレメント（３５）は、第２の係合手段（３５５）を有し、かつ、引張エレメント（４）を巻き取るように巻取方向（Ｖ）に回転可能であり、前記第１の係合手段（３４５）および前記第２の係合手段（３５５）は、解除位置では、前記巻回しエレメント（３５）を前記作動エレメント（３４）に対して回転させることができるように互いに係合しておらず、かつ、係合位置では、前記作動エレメント（３４）を介して前記巻回しエレメント（３５）を回転させることができるように互いに係合状態にすることが可能であり、前記第１のファスナー部位（２）が第１の歯部手段（２５）を含み、前記第２のファスナー部位（３）が第２の歯部手段（３５１）を含み、前記第１の歯部手段（２５）および前記第２の歯部手段（３５１）は、当該ファスナー装置（１）の前記閉位置にて、前記第１のファスナー部位（２）と前記第２のファスナー部位（３）とが前記巻取方向（Ｖ）に沿って互いに形状係合状態で保持されるように互いに係合していることを特徴とする、ファスナー装置（１）。
【請求項２】
請求項１に記載のファスナー装置（１）において、前記第１の係合手段（３４５）および前記第２の係合手段（３５５）は、当該ファスナー装置（１）の前記閉位置にて前記係合位置にあることを特徴とする、ファスナー装置（１）。
【請求項３】
請求項１または２に記載のファスナー装置（１）において、前記第１の係合手段（３４５）と前記第２の係合手段（３５５）との前記係合位置では、前記巻取方向（Ｖ）への前記作動エレメント（３４）の回転時に前記巻回しエレメント（３５）が当該作動エレメント（３４）と一緒に動かされる一方で、前記巻取方向（Ｖ）の反対方向へは前記作動エレメント（３４）が前記巻回しエレメント（３５）に対して回転可能となることを特徴とする、ファスナー装置（１）。
【請求項４】
請求項１から３のいずれか一項に記載のファスナー装置（１）において、前記第１の係合手段（３４５）および／または前記第２の係合手段（３５５）が、前記閉方向（Ｘ）周りに延在する鋸歯状の歯部を有していることを特徴とする、ファスナー装置（１）。
【請求項５】
請求項１から４のいずれか一項に記載のファスナー装置（１）において、前記作動エレメント（３４）および前記巻回しエレメント（３５）が、前記解除位置と前記係合位置との間での前記係合手段（３４５，３５５）の移動のために前記閉方向（Ｘ）に沿って軸方向に互いに調節可能であることを特徴とする、ファスナー装置（１）。
【請求項６】
請求項１から５のいずれか一項に記載のファスナー装置（１）において、前記作動エレメント（３４）および前記巻回しエレメント（３５）が、前記解除位置の方向へと互いにばね予圧されていることを特徴とする、ファスナー装置（１）。
【請求項７】
請求項１から６のいずれか一項に記載のファスナー装置（１）において、前記第２の歯部手段（３５１）が、前記作動エレメント（３４）に又は前記巻回しエレメント（３５）に設けられていることを特徴とする、ファスナー装置（１）。
【請求項８】
請求項１から７のいずれか一項に記載のファスナー装置（１）において、前記閉位置では、前記巻取方向（Ｖ）へは前記第２のファスナー部位（３）が前記第１のファスナー部位（２）に対して回転可能である一方で、前記巻取方向（Ｖ）の反対方向へは前記第１のファスナー部位（２）に対する前記第２のファスナー部位（３）の回転がロックされていることを特徴とする、ファスナー装置（１）。
【請求項９】
請求項１から８のいずれか一項に記載のファスナー装置（１）において、前記第１のファスナー部位（２）が円筒部（２０１）を有しており、当該円筒部（２０１）は、前記閉位置にて、前記第１のファスナー部位（２）への前記巻回しエレメント（３５）の回転可能な取付けのために当該巻回しエレメント（３５）の開口（３５０）内に係合していることを特徴とする、ファスナー装置（１）。
【請求項１０】
請求項１から９のいずれか一項に記載のファスナー装置（１）において、前記第１のファスナー部位（２）及び前記第２のファスナー部位（３）はそれぞれ、当該ファスナー部位（２，３）同士の取付時に磁気吸引力を与える少なくとも１つの磁石エレメント（２３，３３）を含むことを特徴とする、ファスナー装置（１）。
【請求項１１】
請求項１から１０のいずれか一項に記載のファスナー装置（１）において、前記第１のファスナー部位（２）及び前記第２のファスナー部位（３）が、前記閉位置にて、当該ファスナー部位（２，３）同士を前記閉方向（Ｘ）に抗して互いに保持するように互いに機械的に拘束されていることを特徴とする、ファスナー装置（１）。
【請求項１２】
請求項１１に記載のファスナー装置（１）において、一方の前記ファスナー部位（２，３）が、少なくとも１つの可動なデテントエレメント（３８５）を有するデテント手段（３６）を含み、当該少なくとも１つの可動なデテントエレメント（３８５）は、拘束位置にて、他方のファスナー部位（３，２）のデテント凹部（２０２）に係合することにより前記ファスナー部位（２，３）同士を前記閉方向（Ｘ）に抗して互いに保持することを特徴とする、ファスナー装置（１）。
【請求項１３】
請求項１２に記載のファスナー装置（１）において、前記デテント手段（３６）が、前記ファスナー部位（２，３）の取付時に前記拘束位置へと自動的に移行することを特徴とする、ファスナー装置（１）。
【請求項１４】
請求項１２または１３に記載のファスナー装置（１）において、前記デテント手段（３６）が、前記閉位置で前記他方のファスナー部位（３，２）内に係合する係合エレメント（３８）を有しており、当該係合エレメント（３８）上に、前記少なくとも１つのデテントエレメント（３８５）が配置されていることを特徴とする、ファスナー装置（１）。
【請求項１５】
請求項１４に記載のファスナー装置（１）において、前記デテント手段（３６）が、前記係合エレメント（３８）上に調節可能に配置された操作エレメント（３７）を有しており、当該操作エレメント（３７）は、前記少なくとも１つのデテントエレメント（３８５）を前記デテント凹部（２０２）から脱係合させるように作動されることが可能であることを特徴とする、ファスナー装置（１）。
【手続補正２】
【補正対象書類名】明細書
【補正対象項目名】０１２１
【補正方法】変更
【補正の内容】
【０１２１】
本発明の基礎をなす思想は、これまで強調してきた例的実施形態に限定されず、むしろ、原則として根本的に異なる形態により実現されるものとされてもよい。
本明細書で説明するタイプのファスナー装置は、極めて多種多様な用途に使用され得る。説明するタイプのファスナー装置の場合、締付け装置が、互いに分離可能なファスナー部位へと組み合わされている。これにより、物品同士を互いに締めると同時に当該物品同士を連結するということが可能になる。
以下、本発明に含まれる態様を記す。
〔態様１〕ファスナー装置（１）であって、
閉方向（Ｘ）に沿って互いに取り付けられることが可能で、閉位置にて互いに保持されて、かつ、当該ファスナー装置（１）を開くように互いに切離し可能である、第１のファスナー部位（２）及び第２のファスナー部位（３）、
を備える、ファスナー装置（１）において、
前記第２のファスナー部位（３）が、第１の係合手段（３４５）を有する作動エレメント（３４）、および当該作動エレメント（３４）に設置された巻回しエレメント（３５）を含み、当該巻回しエレメント（３５）は、第２の係合手段（３５５）を有し、かつ、引張エレメント（４）を巻き取るように巻取方向（Ｖ）に回転可能であり、前記第１の係合手段（３４５）および前記第２の係合手段（３５５）は、解除位置では、前記巻回しエレメント（３５）を前記作動エレメント（３４）に対して回転させることができるように互いに係合しておらず、かつ、係合位置では、前記作動エレメント（３４）を介して前記巻回しエレメント（３５）を回転させることができるように互いに係合状態にすることが可能であり、前記第１のファスナー部位（２）が第１の歯部手段（２５）を含み、前記第２のファスナー部位（３）が第２の歯部手段（３５１）を含み、前記第１の歯部手段（２５）および前記第２の歯部手段（３５１）は、当該ファスナー装置（１）の前記閉位置にて、前記第１のファスナー部位（２）と前記第２のファスナー部位（３）とが前記巻取方向（Ｖ）に沿って互いに形状係合状態で保持されるように互いに係合していることを特徴とする、ファスナー装置（１）。
〔態様２〕態様１に記載のファスナー装置（１）において、前記第１の係合手段（３４５）および前記第２の係合手段（３５５）は、当該ファスナー装置（１）の前記閉位置にて前記係合位置にあることを特徴とする、ファスナー装置（１）。
〔態様３〕態様１または２に記載のファスナー装置（１）において、前記第１の係合手段（３４５）と前記第２の係合手段（３５５）との前記係合位置では、前記巻取方向（Ｖ）への前記作動エレメント（３４）の回転時に前記巻回しエレメント（３５）が当該作動エレメント（３４）と一緒に動かされる一方で、前記巻取方向（Ｖ）の反対方向へは前記作動エレメント（３４）が前記巻回しエレメント（３５）に対して回転可能となることを特徴とする、ファスナー装置（１）。
〔態様４〕態様１から３のいずれか一態様に記載のファスナー装置（１）において、前記第１の係合手段（３４５）および／または前記第２の係合手段（３５５）が、前記閉方向（Ｘ）周りに延在する鋸歯状の歯部を有していることを特徴とする、ファスナー装置（１）。
〔態様５〕態様１から４のいずれか一態様に記載のファスナー装置（１）において、前記作動エレメント（３４）および前記巻回しエレメント（３５）が、前記解除位置と前記係合位置との間での前記係合手段（３４５，３５５）の移動のために前記閉方向（Ｘ）に沿って軸方向に互いに調節可能であることを特徴とする、ファスナー装置（１）。
〔態様６〕態様１から５のいずれか一態様に記載のファスナー装置（１）において、前記作動エレメント（３４）および前記巻回しエレメント（３５）が、前記解除位置の方向へと互いにばね予圧されていることを特徴とする、ファスナー装置（１）。
〔態様７〕態様１から６のいずれか一態様に記載のファスナー装置（１）において、前記第２の歯部手段（３５１）が、前記作動エレメント（３４）に又は前記巻回しエレメント（３５）に設けられていることを特徴とする、ファスナー装置（１）。
〔態様８〕態様１から７のいずれか一態様に記載のファスナー装置（１）において、前記閉位置では、前記巻取方向（Ｖ）へは前記第２のファスナー部位（３）が前記第１のファスナー部位（２）に対して回転可能である一方で、前記巻取方向（Ｖ）の反対方向へは前記第１のファスナー部位（２）に対する前記第２のファスナー部位（３）の回転がロックされていることを特徴とする、ファスナー装置（１）。
〔態様９〕態様１から８のいずれか一態様に記載のファスナー装置（１）において、前記第１のファスナー部位（２）が円筒部（２０１）を有しており、当該円筒部（２０１）は、前記閉位置にて、前記第１のファスナー部位（２）への前記巻回しエレメント（３５）の回転可能な取付けのために当該巻回しエレメント（３５）の開口（３５０）内に係合していることを特徴とする、ファスナー装置（１）。
〔態様１０〕態様１から９のいずれか一態様に記載のファスナー装置（１）において、前記第１のファスナー部位（２）及び前記第２のファスナー部位（３）はそれぞれ、当該ファスナー部位（２，３）同士の取付時に磁気吸引力を与える少なくとも１つの磁石エレメント（２３，３３）を含むことを特徴とする、ファスナー装置（１）。
〔態様１１〕態様１から１０のいずれか一態様に記載のファスナー装置（１）において、前記第１のファスナー部位（２）及び前記第２のファスナー部位（３）が、前記閉位置にて、当該ファスナー部位（２，３）同士を前記閉方向（Ｘ）に抗して互いに保持するように互いに機械的に拘束されていることを特徴とする、ファスナー装置（１）。
〔態様１２〕態様１１に記載のファスナー装置（１）において、一方の前記ファスナー部位（２，３）が、少なくとも１つの可動なデテントエレメント（３８５）を有するデテント手段（３６）を含み、当該少なくとも１つの可動なデテントエレメント（３８５）は、拘束位置にて、他方のファスナー部位（３，２）のデテント凹部（２０２）に係合することにより前記ファスナー部位（２，３）同士を前記閉方向（Ｘ）に抗して互いに保持することを特徴とする、ファスナー装置（１）。
〔態様１３〕態様１２に記載のファスナー装置（１）において、前記デテント手段（３６）が、前記ファスナー部位（２，３）の取付時に前記拘束位置へと自動的に移行することを特徴とする、ファスナー装置（１）。
〔態様１４〕態様１２または１３に記載のファスナー装置（１）において、前記少なくとも１つのデテントエレメント（３８５）が、前記拘束位置の方向へとばね予圧されていることを特徴とする、ファスナー装置（１）。
〔態様１５〕態様１２から１４のいずれか一態様に記載のファスナー装置（１）において、前記デテント手段（３６）が、前記閉位置で前記他方のファスナー部位（３，２）内に係合する係合エレメント（３８）を有しており、当該係合エレメント（３８）上に、前記少なくとも１つのデテントエレメント（３８５）が配置されていることを特徴とする、ファスナー装置（１）。
〔態様１６〕態様１５に記載のファスナー装置（１）において、前記デテント手段（３６）が、前記第２のファスナー部位（３）に設けられており、前記係合エレメント（３８）が、前記作動エレメント（３４）に対して前記閉方向（Ｘ）に沿って軸方向に調節可能であることを特徴とする、ファスナー装置（１）。
〔態様１７〕態様１６に記載のファスナー装置（１）において、前記係合エレメント（３８）が、前記作動エレメント（３４）に対して前記閉方向（Ｘ）に沿ってばね予圧されていることを特徴とする、ファスナー装置（１）。
〔態様１８〕態様１５から１７のいずれか一態様に記載のファスナー装置（１）において、前記デテント手段（３６）が、前記係合エレメント（３８）上に調節可能に配置された操作エレメント（３７）を有しており、当該操作エレメント（３７）は、前記少なくとも１つのデテントエレメント（３８５）を前記デテント凹部（２０２）から脱係合させるように作動されることが可能であることを特徴とする、ファスナー装置（１）。
〔態様１９〕態様１８に記載のファスナー装置（１）において、前記操作エレメント（３７）が、前記係合エレメント（３８）上で前記閉方向（Ｘ）に沿って軸方向に案内されることを特徴とする、ファスナー装置（１）。